(57)【特許請求の範囲】
【請求項１】
一次電池と二次電池とを開口部よりそれぞれ別々に収納自在にした筐型の装置本体と、この装置本体の開口部を開閉する蓋体とを備え、上記装置本体内の所定位置に、上記各電池の端子に接触する一次電池接続用端子と二次電池接続用端子とを設けた電池収納装置において、上記装置本体は、略矩形の底片部と両端片部とを備え、上記一次電池を収納するときには、上記一次電池接続用端子が上記両端片部に設けられていて、上記一次電池の＋側及び−側端子を上記一次電池接続用端子間に差し込んで接触させて収納するよう構成されるとともに、上記二次電池を収納するときには、上記装置本体には上記二次電池用の鉤部が設けられていて、上記二次電池を上記底片部上に沿って所定のストロークをスライドさせることにより、上記二次電池の係合部と上記鉤部とが係合すると共に上記二次電池の端子を上記装置本体の二次電池接続用端子に接触させて収納するよう構成されたことを特徴とする電池収納装置。
【請求項２】
請求項１記載の電池収納装置において、上記一次電池としての単三形の乾電池を上記装置本体内の下側に２本、上側に４本それぞれ収納自在にすると共に、上記二次電池としての直方体形の充電池を上記装置本体内に収納自在にする一方、上記蓋体に、上記充電池の上記装置本体内に対する収納完了状態を位置決めする位置決め手段を設けたことを特徴とする電池収納装置。
【発明の詳細な説明】
【０００１】
【産業上の利用分野】
この発明は、携帯用の小型ビデオカメラ等のポータブル機器に取付けられて該ポータブル機器に駆動用の電源を供給するようにした電池収納装置に関する。
【０００２】
【従来の技術】
例えば、携帯用の小型ビデオカメラには、一度の簡単な充電で長寿命のリチウムイオン充電池（二次電池）が使用されている。また、この携帯用の小型ビデオカメラは、６本の単三形の乾電池（一次電池）で駆動させることも可能である。この６本の単三形の乾電池でビデオカメラを駆動させる場合には、通常使用するリチウムイオン充電池等の専用の充電池とは接点構造や電池形状が異なるため、別体の乾電池用アダプター等を上記ビデオカメラに着脱自在に取付けることにより使用していた。この乾電池用アダプターは、外出先での撮影中に専用の充電池が切れた場合の緊急用という目的で企画されたものである。
【０００３】
【発明が解決しようとする課題】
しかしながら、従来の携帯用の小型ビデオカメラでは、専用の充電池を主として使うため、乾電池で使用したい場合には専用の充電池の他に６本の単三形の乾電池が収納された乾電池用アダプターを用意しておかなければならず煩わしかった。また、緊急時において乾電池用アダプターを用意するのを忘れた場合には、乾電池でビデオカメラを駆動させることができなかった。尚、予めビデオカメラの本体内に乾電池の収納スペースを設けておけばよいが、緊急用にしか使わない乾電池収納用の余分なスペースをビデオカメラの本体内に設けておくことは、ビデオカメラ全体が大型になってしまい、携帯用としての使い勝手が悪くなる虞れがあった。
【０００４】
そこで、この発明は、乾電池用アダプター等を準備することなく、一次電池と二次電池の両方の電池を別々に収納してそれぞれ使用することができる電池収納の省スペース化を図った電池収納装置を提供するものである。
【０００５】
【課題を解決するための手段】
一次電池と二次電池とを開口部よりそれぞれ別々に収納自在にした筐型の装置本体と、この装置本体の開口部を開閉する蓋体とを備え、上記装置本体内の所定位置に、上記各電池の端子に接触する一次電池接続用端子と二次電池接続用端子とを設けた電池収納装置において、上記装置本体は、略矩形の底片部と両端片部とを備え、上記一次電池を収納するときには、上記一次電池接続用端子が上記両端片部に設けられていて、上記一次電池の＋側及び−側端子を上記一次電池接続用端子間に差し込んで接触させて収納するよう構成されるとともに、上記二次電池を収納するときには、上記装置本体には上記二次電池用の鉤部が設けられていて、上記二次電池を上記底片部上に沿って所定のストロークをスライドさせることにより、上記二次電池の係合部と上記鉤部とが係合すると共に上記二次電池の端子を上記装置本体の二次電池接続用端子に接触させて収納するよう構成される。
【０００６】
【作用】
長さが異なる一次電池と二次電池の各電池を装置本体内にそれぞれ別々に収納すると、各電池の端子は装置本体内に設けられた各電池接続用端子にそれぞれ接触する。これにより、１つの電池収納装置で一次電池と二次電池の２種類の電池が他のアダプターなしでそれぞれ別々に収納されて使用され、使い勝手が非常によい。
【０００７】
【実施例】
以下、この発明の実施例を図面と共に詳述する。
【０００８】
図１〜７において、符号１は電池収納装置であり、図示しない携帯用の小型ビデオカメラの背面側に一体的に取付けられて該ビデオカメラに駆動用の電源を供給するものである。この電池収納装置１は、６本の単三形の乾電池（一次電池）３０と直方体形のリチウムイオン充電池（二次電池）４０とを開口部１０ａより内部にそれぞれ別々に収納自在にした合成樹脂製で筐型の装置本体１０と、この装置本体１０の開口部１０ａを開閉する合成樹脂製の蓋体２０とで構成されている。
【０００９】
図１に示すように、上記装置本体１０は、略矩形の底片部１１と、両端片部１２，１３と、両側片部１４，１５とで正面側が開口した合成樹脂製で直方体形状の筐型になっており、その正面側の開口部１０ａより内部に上記各電池３０，４０をそれぞれ別々に収納できるようになっている。上記装置本体１０の一方の端片部１２の内面側中央には３つの円筒状の凹部１２ａ，１２ａ，１２ａが逆三角形状に連結配置されるように形成してあり、この各凹部１２ａ内に乾電池３０の−側の端子（電極）３１が接触する金属製でコイルバネ状の電池接続用端子１６をそれぞれ突設してある。また、この各凹部１２ａに対向する上記装置本体１０の他方の端片部１３には略逆山字状の凹部１３ａを一体突出形成してある。この他方の端片部１３の内面の上記略逆山字状の凹部１３ａ内には、上記乾電池３０の＋側の端子（電極）３２が接触する金属製で板バネ状の電池接続用端子１７を３つそれぞれ突設してある。
【００１０】
さらに、上記装置本体１０の一方の端片部１２の内面の底片部１１側の両コーナ部には、上記リチウムイオン充電池４０の一方の端面４０ａの下部両側に設けられた凹状の−，＋側の端子（電極）４１，４２に接触する金属製でピン状の一対の電池接続用端子１８，１８をそれぞれ突設してある。また、上記装置本体１０の底片部１１の長手方向の中央には下側の乾電池３０の当接部となる断面円弧状の凹溝部１１ａを形成してあると共に、該凹溝部１１ａを挾むようにして矩形の一対の凹部１１ｂ，１１ｂをそれぞれ形成してある。この一対の凹部１１ｂ，１１ｂには、上側に位置する直列に配置された各両乾電池３０，３０を跨ぐように押さえて各両乾電池３０，３０のガタ付きを防止するための金属製のへ字状で引き込み式の板バネ１９，１９を収納自在に突設してある。この一対の板バネ１９，１９等を介して装置本体１０内には上記乾電池３０が上側に４本、下側に２本ずつ逆三角形になるように配列されてそれぞれ収納されるようになっている。さらにまた、上記装置本体１０の底片部１１と両側片部１４，１５との境目側には、Ｌ字形の各一対の鉤部１１ｃ，１１ｃを一体突出形成してある。この各一対の鉤部１１ｃ，１１ｃには、リチウムイオン充電池４０の両側面の下部に形成された凹状でヘ字形の各一対の係合部４３，４３が係脱自在になっている。
【００１１】
上記蓋体２０は、正面片部２１と、この正面片部２１から装置本体１０の両側片部１４，１５側にコーナ部が湾曲して延びた両側片部２２，２３とで縦断面略コ字状に形成してあり、その一方の側片部２２が装置本体１０の一方の側片部１４にヒンジ２４を介して回動（開閉動）自在に支持してある。また、蓋体２０の他方の側片部２３の縁部の中央にはつまみ部２３ａを一体突出形成してあると共に、該つまみ部２３ａに対向する所定距離（例えば２〜３ｍｍ）離れた位置には矩形の係合孔部２３ｂを形成してある。この係合孔部２３ｂが装置本体１０の他方の側片部１５において三角柱状に一体突出形成された係止爪部１５ｂに係合，離反することにより、装置本体１０の開口部１０ａに対する蓋体２０の閉状態がロックされたり、そのロック状態が解除されるようになっている。
【００１２】
また、上記蓋体２０の正面片部２１の内面には、上側に直列に２本ずつ計４本配列される各乾電池３０の当接部となる断面円弧状の一対の凹溝部２１ａ，２１ａを形成してある。この一対の凹溝部２１ａ，２１ａの装置本体１０の他方の端片部１３寄りの両側の乾電池収納空間と干渉しない部位には、充電池抜け防止用で略三角柱状の一対のリブ２５，２５を一体突出形成してある。即ち、この一対のリブ２５，２５は、上記リチウムイオン充電池４０を上記装置本体１０内に完全に収納して蓋体２０を閉めた状態（リチウムイオン充電池４０が装置本体１０内の底片部１１を図２に示すストロークＳ（例えば、Ｓ＝６〜７ｍｍ）スライドして各一対の鉤部１１ｃ，１１ｃに各一対の係合部４３，４３が係合されると共に、一対の電池接続用端子１８，１８に一対の端子４１，４２が嵌合，接触した状態）で該リチウムイオン充電池４０の他方の端面４０ｂに当たってその位置決め及び抜け止めをする位置決め手段としての機能を有する。
【００１３】
尚、上記正面片部２１の内面の一対の凹溝部２１ａ，２１ａの中央の境界部分の装置本体１０の一方の端片部１２側の位置には、三角柱状のリブ２６を一体突出形成してある。このリブ２６は蓋体２０が閉まった時にリチウムイオン充電池４０の正面中央前側の溝部４４に入り込むようになっていて、リチウムイオン充電地４０のガタ付きを防止するようになっている。また、このリチウムイオン充電池４０は一度の簡単な充電で寿命が長いものである。
【００１４】
以上実施例の電池収納装置１によれば、小型ビデオカメラを使用する際には、装置本体１０内に通常はリチウムイオン充電池４０を収納しておく。この電池収納装置１の装置本体１０内にリチウムイオン充電池４０を収納する場合には、図１，２に示すように、まず、蓋体２０を開いて装置本体１０の開口部１０ａの他方の端片部１３の逆山字状の凹部１３ａ側よりリチウムイオン充電池４０を挿入し、図２に示すように、該リチウムイオン充電池４０を底片部１１上に沿ってストロークＳだけスライドさせると、リチウムイオン充電池４０の一方の端面４０ａ側の一対の端子４１，４２が装置本体１０内の一対の電池接続用端子１８，１８に差し込まれると共に、リチウムイオン充電池４０の両側面の各一対の係合部４３，４３が装置本体１０内の底片部１１の両側の各一対の鉤部１１ｃ，１１ｃにそれぞれ係止される。この時、底片部１１上の一対の板バネ１９，１９は、底片部１１の一対の凹部１１ｂ，１１ｂ内にリチウムイオン充電池４０により押されて沈み込んでいる。
【００１５】
次に、図３，４に示すように、蓋体２０を閉めると、図３に示すように、蓋体２０の他方の側片部２３の係合孔部２３ｂが装置本体１０の他方の側片部１５の係止爪部１５ｂに係止されて、該蓋体２０の閉状態がロックされる。この時、図４に示すように、蓋体２０の内面の一対のリブ２５，２５がリチウムイオン充電池４０の他方の端面４０ｂに当接して装置本体１０内のリチウムイオン充電池４０の上記収納完了状態の位置を決める。これにより、装置本体１０内でリチウムイオン充電池４０がガタ付くことはなく、該リチウムイオン充電池４０の各端子４１，４２は一対の電池接続用端子１８，１８に確実に接触している。この状態で、装置本体１０内に収納されたリチウムイオン充電池４０の電源が小型ビデオカメラの回転ヘッドドラム等から成るメカデッキ部等に確実に供給される。
【００１６】
また、リチウムイオン充電池４０の代わりに６本の単三形の乾電池３０の電源により小型ビデオカメラを駆動する場合には、図１，５に示すように、装置本体１０の一方の端片部１２の中央下側の凹部１２ａに１本の乾電池３０の−側の端子３１側を差し込むと共に、もう１本の乾電池３０の＋側の端子３２を他方の端片部１３の中央下側の電池接続用端子１７に接触させる。これにより、上記凹部１２ａに差し込まれた１本の乾電池３０の−側の端子３１はコイルバネ状の電池接続用端子１６に接触するが、該電池接続用端子１６のバネ接点を用いて接点圧が得られると共に差し込みストロークが吸収される。同様にして、装置本体１０内の上側の両サイドに２本ずつ直列に計４本の乾電池３０を収納する。
【００１７】
そして、図６，７に示すように、蓋体２０を閉めると、図６に示すように、蓋体２０の他方の側片部２３の係合孔部２３ｂが装置本体１０の他方の側片部１５の係止爪部１５ｂに係止されて、該蓋体２０の閉状態がロックされる。この時、図６に示すように、単三形の乾電池３０は３本ずつ逆三角形になるように２列計６本配列され、上側の乾電池３０は各板バネ１９により蓋体２０の内面の各凹溝部２１ａに、下側の乾電池３０は上側の乾電池３０の押圧力により装置本体１０の底片部１１の各凹溝部１１ａに隙間なく当接してガタ付くことはなく、各乾電池３０の各端子３１，３２は各電池接続用端子１６，１７及び乾電池３０の−側の端子３１に確実に接触している。この逆三角形の２列の乾電池群は、図５，６に示すように、リチウムイオン充電池４０より全体の長さ及び高さが少しずつ大きく、また、凹凸形状にも差があるため、装置本体１０の底片部１１の凹溝部１１ａと蓋体２０の内面の一対の凹溝部２１ａ，２１ａの内面湾曲形状の凹凸をそれらの差分に合わせることで各乾電池３０を確実に支えることができる。この状態で、装置本体１０内に収納された６本の乾電池３０の電源が小型ビデオカメラのメカデッキ部等に確実に供給される。
【００１８】
このように、二次電池であるリチウムイオン充電池４０と一次電池である６本の単三形の乾電池３０の各電池３０，４０を、装置本体１０内にそれぞれ別々に収納すると、各電池３０，４０の端子３１，３２及び４１，４２は装置本体１０内に設けられた各電池接続用端子１６，１７及び１８等にそれぞれ接触する。これにより、１つの電池収納装置１で乾電池３０とリチウムイオン充電池４０の２種類の電池がそれぞれ別々に収納されて使用されるので、小型ビデオカメラの使い勝手が非常によい。
【００１９】
また、外出先等で小型ビデオカメラを使用中に万一リチウムイオン充電池４０が切れてしまっても、従来のように乾電池用アダプター等の他のアダプターを準備する必要なしで６本の単三形の乾電池３０を用いて小型ビデオカメラを使用することができ、使い勝手が非常によい。さらに、電池収納装置１の装置本体１０内の電池収納空間は、上側に４本、下側に２本の計６本の単三形の乾電池３０と１つの直方体形のリチウムイオン充電池４０を別々にコンパクトに収納できる空間となっているので、装置本体１０内の電池収納空間の省スペース化を可及的に図ることができると共に、電池収納装置１全体の小型化をより一段と図ることができる。さらにまた、装置本体１０は乾電池３０と充電池４０を収納する兼用ケースとなっており、蓋体２０を開けると乾電池３０の電池接続用端子１６，１７を見ることができるため、使用者に乾電池使用も可能であることを容易に認知させることができる。
【００２０】
図８は他の実施例の電池収納装置１′を示す。この電池収納装置１′は、図示しない携帯用の小型ビデオカメラの背面側に一体的に取付けられて該ビデオカメラに駆動用の電源を供給するものであり、上側に４本、下側に２本の計６本の単三形の乾電池（一次電池）３０と直方体形のリチウムイオン充電池（二次電池）４０とを開口部１０ａより内部にそれぞれ別々に収納自在にした合成樹脂製で筐型の装置本体１０′と、この装置本体１０′の開口部１０ａを開閉する合成樹脂製の蓋体２０′とで構成されている。
【００２１】
筐型の装置本体１０′は、一方の端部側が閉塞され、他方の端部の開口部１０ａがリチウムイオン充電池４０の端面４０ａ（４０ｂ）より一回り大きく形成された四角筒体１１′から成り、この四角筒体１１′の下壁中央に下側の乾電池３０の当接部となる断面円弧状の凹溝部１１ａを形成してあると共に、上壁両側に上側の乾電池３０の当接部となる断面円弧状の一対の凹溝部１１ａ′，１１ａ′を形成してある。また、上記四角筒体１１′の一方の閉塞端部の内面側には、乾電池３０の−側の端子（電極）３１が接触する金属製でコイルバネ状の３つの電池接続用端子（図示は省略してあるが前記実施例と同構成）とリチウムイオン充電池４０の−，＋側の端子（電極）４１，４２に接触する金属製でピン状の一対の電池接続用端子（図示は省略してあるが前記実施例と同構成）をそれぞれ突設してあると共に、他方の開口部１０ａ側の端部の内縁の回りには環状の凹部１１ｄを形成してある。
【００２２】
上記蓋体２０′は、一方の端部側が開口し、他方の端部側が閉塞された上記装置本体１０′と同形の四角筒体２１′から成り、該四角筒体２１′の下壁側中央に下側の乾電池３０の当接部となる断面円弧状の凹溝部２１ａを形成してあると共に、上壁両側に上側の乾電池３０の当接部となる断面円弧状の一対の凹溝部２１ａ′，２１ａ′を形成してある。また、上記四角筒体２１′の他方の閉塞端部の内面側には、乾電池３０の＋側の端子（電極）３２が接触する金属製で板バネ状の３つの電池接続用端子（図示は省略してあるが前記実施例と同構成）をそれぞれ突設してあると共に、一方の開口側の端部の内側の回りには上記装置本体１０′側の環状凹部１１ｄに嵌脱自在に設けられた開口部１０ａを蓋体２０′により開閉するための環状のリブ２１ｄを一体突出形成してある。さらに、上記四角筒体２１′の一対の凹溝部２１ａ，２１ａの境目には、充電池抜け防止用で略三角柱状のリブ（位置決め手段）２５を一体突出形成してある。
【００２３】
以上のように構成することにより、電池収納装置１′の筐型の装置本体１０′の開口部１０ａからその内部に６本の乾電池３０或は１つのリチウムイオン充電池４０を別々に収納して、該開口部１０ａを蓋体２０′で閉めることにより、前記実施例と同様の作用効果を奏するものであり、前記実施例より更に小型のビデオカメラの背面側等に取付けて使用するのに好適である。また、この電池収納装置１′は装置本体１０′側において前記実施例の各一対の鉤部１１ｃ，１１ｃ等が不要となるので、その分前記実施例よりも低コスト化を図ることができる。
【００２４】
尚、前記各実施例によれば、携帯用の小型ビデオカメラの背面側に一体的に設けられた電池収納装置について説明したが、この電池収納装置を小型ビデオカメラの背面側に着脱自在に取付けるようにしてもよく、また、蓋体の内面側に充電池抜け防止用のリブを設けたが、このリブのリチウムイオン充電池の他方の端面側の形状を斜面に形成して、リチウムイオン充電池が装置本体内を十分にスライドしきっていない場合でも、このリブの斜面を利用して蓋体を閉めることによって電池接続用端子側に充電池を押し当てるようにしてもよい。さらに、小型ビデオカメラ以外の他のポータブル機器に取付けるようにしてもよい。さらにまた、二次電池としてリチウムイオン充電池を用いたが、二次電池はリチウムイオン充電池に限らず、ニッケル水素充電池等の他の二次電池を用いてもよい。
【００２５】
【発明の効果】
以上のように、この発明の電池収納装置によれば、一次電池と二次電池とを開口部よりそれぞれ別々に収納自在にした筐型の装置本体と、この装置本体の開口部を開閉する蓋体とを備え、上記装置本体内の所定位置に、上記各電池の端子に接触する電池接続用端子をそれぞれ別々に設け、一次電池を収納するときには、装置本体の両端片部に設けられた一次電池接続用端子間に一次電池の端子を差し込んで接触収納させ、二次電池を収納するときには、二次電池を底片部上に沿って所定のストロークをスライドさせることにより、装置本体の鉤部に二次電池の係合部を係合するとともに、二次電池の端子を装置本体の二次電池接続用端子に接触収納させており、アダプター等を用意することなく、１つの電池収納装置で長さが異なる一次電池と二次電池の両方の電池を別々に収納してそれぞれ使用することができる。また、上記装置本体内の電池収納の省スペース化を図ることができ、しかも使い勝手が非常によい。
【図面の簡単な説明】
【図１】この発明の実施例の電池収納装置の蓋体を開いた状態を示す斜視図。
【図２】上記電池収納装置にリチウムイオン充電池を収納し、蓋を開いた状態を示す平面図。
【図３】上記電池収納装置に上記リチウムイオン充電池を収納した状態の幅方向の縦断面図。
【図４】上記電池収納装置に上記リチウムイオン充電池を収納した状態の長手方向の縦断面図。
【図５】上記電池収納装置に６本の単三形の乾電池を収納し、蓋を開いた状態を示す平面図。
【図６】上記電池収納装置に上記６本の単三形の乾電池を収納した状態の幅方向の縦断面図。
【図７】上記電池収納装置に上記６本の単三形の乾電池を収納した状態の長手方向の縦断面図。
【図８】他の実施例の電池収納装置の蓋体を開いた状態の斜視図。
【符号の説明】
１，１′…電池収納装置
１０，１０′…装置本体
１０ａ…開口部
１６，１７，１８…電池接続用端子
２０，２０′…蓋体
２５…リブ（位置決め手段）
３０…乾電池（一次電池）
３１，３２…端子
４０…充電池（二次電池）
４１，４２…端子
【図１】
0003591016.tif 000002
【図２】
0003591016.tif 000003
【図３】
0003591016.tif 000004
【図４】
0003591016.tif 000005
【図５】
0003591016.tif 000006
【図６】
0003591016.tif 000007
【図７】
0003591016.tif 000008
【図８】
0003591016.tif 000009